(57)【要約】【課題】段ボールによって組立てられるとともに、内部に配される補助枠４９が安定にこの箱の内側に固定されるようにした動物用箱を提供する。【解決手段】この箱の側板１１の紐挿通孔３５によって内側に導かれる紐６３によって、補助枠４９の係止片５７を係止し、この係止片５７を介して補助枠４９の補助側板５１を外側の箱の側板１１の内側に重ねた状態で固定する。【選択図】図７
2009082062.tif 000002
【特許請求の範囲】
【請求項１】
段ボールによって直方体状に組立てられる箱であって、内側に補助枠が配される動物用箱において、
側板の上下にそれぞれ挿通孔が形成されるとともに、前記補助枠の補助側板であって、前記上下の挿通孔の高さ方向の中間位置に係止片が設けられ、前記上下の挿通孔によって前記側板の内側に挿通される紐が前記補助側板の係止片に係止されて該補助側板が前記側板上に重合うように固定されることを特徴とする動物用箱。
【請求項２】
前記両側の側板の上端の蓋板が互いに接近するように切妻状に組合されて上部開口が閉塞されるとともに、前記蓋板の上端の折返し片が内側に折返され、前記紐が前記側板の上端の内側を通るとともに前記折返し片の開口および前記側板の開口によって外側に引出され、前記折返し片が前記紐によって前記蓋板の上端の内側に重合わされて固定されることを特徴とする請求項１に記載の動物用箱。
【請求項３】
前記側板と直交する端板の上端の閉塞板の肩部がそれぞれほぼ三角形状に内側に折曲げられるとともに、該三角形状の折曲げ部分が前記切妻状の蓋板の上端と前記折返し片とによって挟着固定されることを特徴とする請求項２に記載の動物用箱。
【請求項４】
前記端板の下端であってその両側にそれぞれスリット状係止部が形成され、前記端板の上端側の前記閉塞板を外側に折返すとともに、前記三角形状の折曲げ部分の先端が前記スリット状係止部によって係止され、前記端板の上端の前記閉塞板が外側に折返された状態で固定されることを特徴とする請求項３に記載の動物用箱。
【請求項５】
前記端板の上端側の部分に両端がそれぞれ固定されて通気性の布が内側空間を横切るように張設されることを特徴とする請求項３に記載の動物用箱。
【請求項６】
底板上にカーボングラファイトシートから成る熱伝達シートが敷設されることを特徴とする請求項１に記載の動物用箱。
【請求項７】
前記熱伝達シートの下側に蓄冷材が配されることを特徴とする請求項６に記載の動物用箱。
【請求項８】
前記熱伝達シートの下側に発熱材が配されることを特徴とする請求項６に記載の動物用箱。
【発明の詳細な説明】
【技術分野】
【０００１】
本発明は犬や猫等のペットを入れて持運ぶのに用いて好適な動物用箱であって、とくに内側に補助枠が配される動物用箱に関する。
【背景技術】
【０００２】
例えば特開２００３−９３１２７号公報には、キャリー枠体にセットされる動物収納用バッグを備えたペット用キャリーケースであって、キャリー枠体を、ベース枠と、ベース枠に縦方向に設けた縦枠兼取手杆と、ベース枠に設けたキャスターとでなり、縦枠兼取手杆の縦方向に設けた構成を利用し、バッグを搬送する人の至近距離において、略水平移動を可能としたペット用キャリーケースであって、ペットに安心感を与え、搬送による疲労感の解消と、体調の維持が図られるようにしたペット用キャリーケースが提案されている。
【０００３】
また特開２００６−３２５４１４号公報には、膜状素材からなる箱と該箱を支える構造材とで小動物収納箱を構成し、構造材として対面にＸ状構造の部材を配し、両Ｘ状構造部材を直棒状部材で着脱容易に連結し、また箱の底面部分を２重構造とし、該２重構造の膜状素材の間に直棒状部材を挟持させ、さらに直棒状部材の外側に自在に回転する機構を設け、箱に適当な張り具合をもたせて展張させることができるようにした小動物用収納箱が開示されている。
【０００４】
特開２００３−９３１２７号公報に開示されているペット用キャリーケースは、その本体部分が合成樹脂の成形体によって成形されたものであって、このために成形用金型を必要とする。また筐体それ自身が必ずしも断熱効果を有しておらず、このために外部の温度によって内部の温度も変動し易い欠点がある。
【０００５】
これに対して特開２００６−３２５４１４号公報に開示されている小動物収納箱は、その中に犬や猫を入れて持運ぶのには不適当な構造になっている。また両側のＸ軸状の部材によって、収納箱が全体としてかさばる欠点がある。
【特許文献１】特開２００３−９３１２７号公報
【特許文献２】特開２００６−３２５４１４号公報
【発明の開示】
【発明が解決しようとする課題】
【０００６】
本願発明の課題は、犬や猫のようなペットをその中に入れて容易に持運ぶことができるようにした動物用収納箱を提供することである。
【０００７】
本願発明の別の課題は、段ボールによって構成され、しかも内部に動物を収納して持運ぶことができるようにした動物用収納箱を提供することである。
【０００８】
本願発明のさらに別の課題は、必要に応じて組立てて収納箱とし、その状態で動物を収納できるようにした動物用収納箱を提供することである。
【０００９】
本願発明のさらに別の課題は、中に入れた動物が確実に保護されるようにした動物用収納箱を提供することである。
【００１０】
本願発明のさらに別の課題は、内部の温度を安定的に維持できるようにした動物用収納箱を提供することである。
【００１１】
本願発明の上記の課題および別の課題は、以下に述べる本願発明の技術的思想およびその実施の形態によって明らかにされる。
【課題を解決するための手段】
【００１２】
本願の主要な発明は、段ボールによって直方体状に組立てられる箱であって、内側に補助枠が配される動物用箱において、
側板の上下にそれぞれ挿通孔が形成されるとともに、前記補助枠の補助側板であって、前記上下の挿通孔の高さ方向の中間位置に係止片が設けられ、前記上下の挿通孔によって前記側板の内側に挿通される紐が前記補助側板の係止片に係止されて該補助側板が前記側板上に重合うように固定されることを特徴とする動物用箱に関するものである。
【００１３】
ここで、前記両側の側板の上端の蓋板が互いに接近するように切妻状に組合されて上部開口が閉塞されるとともに、前記蓋板の上端の折返し片が内側に折返され、前記紐が前記側板の上端の内側を通るとともに前記折返し片の開口および前記側板の開口によって外側に引出され、前記折返し片が前記紐によって前記蓋板の上端の内側に重合わされて固定されてよい。また前記側板と直交する端板の上端の閉塞板の肩部がそれぞれほぼ三角形状に内側に折曲げられるとともに、該三角形状の折曲げ部分が前記切妻状の蓋板の上端と前記折返し片とによって挟着固定されてよい。また前記端板の下端であってその両側にそれぞれスリット状係止部が形成され、前記端板の上端側の前記閉塞板を外側に折返すとともに、前記三角形状の折曲げ部分の先端が前記スリット状係止部によって係止され、前記端板の上端の前記閉塞板が外側に折返された状態で固定されてよい。
【００１４】
また前記端板の上端側の部分に両端がそれぞれ固定されて通気性の布が内側空間を横切るように張設されてよい。また底板上にカーボングラファイトシートから成る熱伝達シートが敷設されてよい。また前記熱伝達シートの下側に蓄冷材が配されてよい。また前記熱伝達シートの下側に発熱材が配されてよい。
【発明の効果】
【００１５】
本願の主要な発明は、段ボールによって直方体状に組立てられる箱であって、内側に補助枠が配される動物用箱において、側板の上下にそれぞれ挿通孔が形成されるとともに、補助枠の補助側板であって、上下の挿通孔の高さ方向の中間位置に係止片が設けられ、上下の挿通孔によって側板の内側に挿通される紐が補助側板の係止片に係止されて該補助側板が側板上に重合うように固定されるようにしたものである。
【００１６】
従ってこのような動物用箱によると、内側に補助枠が配されかつ段ボールによって構成される動物用箱が提供されるようになる。しかもこのような動物用箱は、内側の補助枠の補助側板が側板の内側を通る紐に係止片によって係止され、このために補助枠の補助側板が外側の側板上に重合うように固定されるために、内側の補助枠が安定に固定保持されるようになる。
【発明を実施するための最良の形態】
【００１７】
以下本願発明を図示の実施の形態によって説明する。図１は本実施の形態の動物用箱を組立てるための段ボールシート１０を展開して示している。段ボールシート１０は２枚の側板１１と２枚の端板１２とを互いに折曲げ線１３によって、側板１１、端板１２、側板１１、端板１２の順に連結した構造になっている。そして左側の側板１１の左端には、折曲げ線１４を介して細長い接合片１５が連設されている。
【００１８】
２枚の側板１１の下端側には底板１８が折曲げ線１９を介して折曲げ可能に連結されている。底板１８にはその端部に斜めの折曲げ線２０が形成されている。一方端板１２の下端側にはフラップ２１が折曲げ線２２を介して折曲げ可能に連結されている。そして底板１８の斜めの折曲げ線２０の先端側の部分とフラップ２１とにそれぞれ糊２３、２４が塗布され、これによって底板１８の斜めの折曲げ線２０の先端側の部分とフラップ２１とが互いに糊付け固定されるようになっている。このような構造は、いわゆるアメリカンロック型の底板構造であって、必要に応じて扁平に折畳めるとともに、横から力を加えることによって直方体状に組立てられる包装箱となっている。
【００１９】
側板１１の上端には折曲げ線２７を介して蓋板２８が折曲げ可能に連結される。そして蓋板２８の上端には折曲げ線２９を介して取手板３０が連設されている。取手板３０は横長の取手穴３１を備える。また上記蓋板２８の上端であって取手板３０の両側にはそれぞれ折返し片３２が折曲げ線２９によって折曲げ可能に連結されている。
【００２０】
側板１１の両側には上下に一対の紐挿通孔３５が形成されている。また蓋板２８の両側には上下に紐挿通孔３６が形成されている。また折返し片３２には紐挿通孔３７が形成されている。
【００２１】
端板１２の上端には折曲げ線４１を介してほぼ五角形の形状をなす閉塞板４２が連結されている。閉塞板４２の両側の肩の部分には折曲げ線４３を介してほぼ三角形の形状をなす折曲げ部分４４が連設されている。
【００２２】
次に補助枠４９を組立てるための段ボールシート５０の構成を図２によって説明する。この段ボールシート５０は長方形の形状であって、一対の補助側板５１と、これらの補助側板５１間に挟まれる補助底板５２とを備え、これらが互いに折曲げ線５３によって折曲げ可能に連結された構造になっている。そして両側の補助側板５１には、その左右の部分にそれぞれ上縁に開放された切込み５６が形成されるとともに、切込み５６の下側には先端部が突合わされた一対の係止片５７が形成されている。係止片５７は根元側の部分が折曲げ線５８によって折曲げ可能になっている。
【００２３】
図３はこのような段ボールシート５０によって形成される補助枠４９とともに、この包装箱内に配される通気性布６０を示している。通気性の布は、例えばネット状をなすポリエステルの布から構成されてよく、その両側には切込み６１が形成されている。これらの切込み６１は、上記端板１２の上端側の閉塞板４２を受入れるようになっている。
【００２４】
次に以上のような構成になる段ボールシート１０（図１参照）による箱の組立ての動作を説明する。２枚の側板１１と２枚の端板１２とによって筒体を構成するように、左側の接合片１５を反対側の端板１２の内側の部分に糊付けする。同時に底板１８の斜めの折曲げ線２０の先端側の部分とフラップ２１とにそれぞれ糊２３、２４を塗布し、これによって底板１８とフラップ２１とを互いに糊付け接合する。これによって、底部開口が２枚の底板１８と２枚のフラップ２１とによって互いに閉じられることになる。
【００２５】
このようにして段ボールシート１０で組立てられる箱は、底部が底板１８とフラップ２１とによって、アメリカンロック式の折畳み構造をなしているために、両側の側板１１と端板１２とが反対側の側板１１および端板１２と重合うように折畳むことができる。このときに底板１８とフラップ２１とから成る底部構造は、斜めの折曲げ線２０の存在によって内側に折込まれた状態になる。図４はこのような折畳まれた状態を示している。
【００２６】
このように折畳まれた状態の箱を、図４において矢印で示すように、側板１１と端板１２との接合部分を両側から押すことによって、図５に示すように直方体状に組立てられることになる。このときに底部開口が底板１８とフラップ２０とによって閉塞され、上部開口は開放された状態になっている。
【００２７】
ここで紐６３が底板１８の下側を通り、側板１１の下側の挿通孔３５によって側板１１の内側に導かれ、上側の挿通孔３５によって側板１１の外側に引出され、この後に蓋板２８の下側の挿通孔３６によってこの蓋板２８の内側に導かれる。そして蓋板２８の内側に導かれた紐６３は、この後折返し片３２の内側を通ってこの折り返し片３２に形成されている挿通孔３７によってこの折返し片３２の内側に導かれ、さらにこの後に紐６３は、蓋板２８の上側の紐挿通孔３６によって蓋板２８の外側に導かれることになる。そして外側に導かれた紐６３の両側の先端側の部分は結ばれ、蓋板２８を切妻状に折曲げて閉じた状態で、この蓋板２８を保持するための固定手段を構成する。
【００２８】
ここでとくに紐６３の側板１１の内側に導かれた部分によって、補助枠４９が固定されるようになっている。図７および図８に示すように、側板１１の下側の紐挿通孔３５によって側板１１内に導かれた紐６３は、補助枠４９の補助側板５１の上端側に形成されている一対の係止片５７の下側に図８に示すように導かれる。すなわち一対の係止片５７を開き、この部分に紐６３を導いた後に、係止片５７を閉じて紐６３が係止片５７を押えるようにする。これによって図７に示すように、側板１１の内側に導かれた紐６３の上端側の部分によって、補助枠４９の補助側板５１の係止片５７を押えることになる。従って補助枠４９の補助側板５１が側板１１の上側に重合った状態で紐６３で固定される。従って補助枠４９はこの包装箱内において安定に保持されるとともに、補助側板５１が内側へ倒れるように曲がることが防止される。
【００２９】
また紐６３は上述の如く、蓋板２８の下側の挿通孔３６によって蓋板２８の内側に導かれ、この後に図９に示すように折返し片３２の上側を通り、この折返し片３２の紐挿通孔３７によってこの折返し片３２の内側に導かれ、この後に蓋板２８の上側の挿通孔３６によって蓋板２８の外側へ導かれる。従って紐６３を引っ張ると、図１０に示すように、折返し片３２が蓋板２８の内側に重合わせた状態で固定されることになり、このために折返し片３２が安定に固定されることになる。とくに折返し片３２が内側へ突出するように回動することが防止される。
【００３０】
端板１２の上端側の閉塞板４２は、その両肩の部分にそれぞれ三角形状の折曲げ部分４４が連設されている（図１０参照）。そしてこのような三角形状の折曲げ部分４４は折曲げ線４３によって内側へ折曲げられるとともに、この折曲げ部分４４の先端側の部分が図１１および図１２に示すように、紐６３によって固定された折返し片３２と蓋板２８との間に挟着され、これによって端板１２の上端側の閉塞板４２が切妻状に折曲げられた蓋板２８の両側のほぼ五角形をなす開口を閉塞することになる。
【００３１】
なお換気等の目的のために、端板１２の上端側の五角形の閉塞板４２を開放する場合には、図３に示すように外側へ折返す。この場合には、三角形状の折曲げ部分４４の先端部を、端板１２の下端側であってその両側にそれぞれ形成された斜めのスリット４５に挿入して係止する。これによって、両側から斜めに折曲げられた蓋板２８によって形成される切妻状の屋根の両端側の開口の部分が、閉塞板４２とほぼ同じ大きさで開放されることになる。
【００３２】
図１４は段ボールシート１０によってほぼ直方体状に組立てられるとともに、内側に補助枠４９を配し、しかも上部開口を両側の蓋板２８によって切妻状に折曲げて閉じた状態を示している。なおこのときには、端板１２の上側の五角形の部分は、閉塞板４２によって閉じられている。このような箱は、蓋板２８の上端側の紐挿通孔３６によって外側に導出された紐６３の先端部を互いに結合わせることによって、蓋板２８がこの包装箱を閉じた状態でロックされることになる。従って、中に犬や猫等のペットを入れて持運ぶ際に、蓋板２８が不測に開くことがない。
【００３３】
このような動物用箱の内部には、図３に示すような通気性の布６０を張設することができる。図１５および図１６はこのような通気性の布６０の取付け構造を示している。ここでは蓋板２８を開くとともに、両側の端板１２の上端に形成されている閉塞板４２に通気性の布６０の両側の切込み６１を挿通させ、これによって両側の端板１２の上端を連結するように通気性布６０を取付ける。図１６に示すように、取付けられた通気性布６０は、この包装箱の内部であってその上端側の部分を遮断するように機能する。
【００３４】
またこのような動物用箱は、図１７に示すように、例えばカーボングラファイトシートから成る熱伝達シート６５が敷設される。ここで熱伝達シート６５は、カーボングラファイトシートから構成される。すなわち、天然鱗状黒鉛等の原料を浮遊選鉱し、さらに薬品処理を行なった後に濃硫酸と酸化剤との混酸によって酸化処理を行なう。そしてこの後に膨張化処理を行なう。膨張化処理は炉内において、バーナーで高温急加熱を行なうことにより達成される。そしてこの後にロール圧延を行なって成形する。これによってシート状のグラファイトシートが得られる。このようなグラファイトシートは、例えば耐熱樹脂等のフィルムによって包まれた構造になっている。
【００３５】
上記熱伝達シート６５の下側には、例えば保冷材６７が配される。保冷材６７は、熱伝達シート６５を介してその上側の空間の熱を吸収することによって、この動物用箱内の温度が異常に上昇するのを防止し、適正な温度にする。なお冬季のように寒い場合には、上記保冷材６７に代えて、蓄熱材を配するようにする。このように保冷材６７あるいは蓄熱材を熱伝達シート６５の下側に配することによって、内部を快適な温度状態にし、これによって動物を適正な雰囲気中で移動させることが可能になる。
【００３６】
以上本願発明を図示の実施の形態によって説明したが、本願発明は上記実施の形態によって限定されることなく、本願発明の技術的思想の範囲内で各種の変更が可能である。例えば上記実施の形態におけるこの包装箱の縦、横、高さ等の寸法や、縦横比等については、収納する動物の大きさや種類等に応じて各種の寸法とすることができる。また例えば蓋板２８等に適当な通気孔を形成するようにしてもよい。また蓋板２８等に、適当な窓を形成し、この窓に透明なシートを貼付けて中が見えるようにすることも可能である。
【産業上の利用可能性】
【００３７】
本願発明は、犬や猫等のペット動物を持運ぶのに用いて好適な動物用箱として利用可能である。
【図面の簡単な説明】
【００３８】
【図１】動物用箱を組立てるための段ボールシートの展開平面図である。
【図２】内側に配される補助枠の展開平面図である。
【図３】内側に張設される通気性布の平面図である。
【図４】組立てられかつ扁平に折畳まれた包装箱の正面図である。
【図５】同箱を直方体状に組立てた状態の斜視図である。
【図６】内部に補助枠を組込む動作を示す斜視図である。
【図７】紐による補助枠の固定の動作を示す要部斜視図である。
【図８】同要部拡大斜視図である。
【図９】紐による蓋板の先端側の折返し片の固定の動作を示す斜視図である。
【図１０】蓋板の閉塞の動作を示す斜視図である。
【図１１】端板の上端側の閉塞板を固定するための動作を示す斜視図である。
【図１２】同要部拡大斜視図である。
【図１３】閉塞板を外側に折返してロックする状態を示す斜視図である。
【図１４】完全に組立てられかつ蓋板が閉じられた状態の斜視図である。
【図１５】通気性布の取付けを示す斜視図である。
【図１６】内側に通気性布が張設された箱の縦断面図である。
【図１７】熱伝達シートが底部に配された箱の要部縦断面図である。
【図１８】底部に熱伝達シートと保冷材とが配された箱の要部縦断面図である。
【符号の説明】
【００３９】
１０  段ボールシート
１１  側板
１２  端板
１３、１４  折曲げ線
１５  接合片
１８  底板
１９  折曲げ線
２０  斜めの折曲げ線
２１  フラップ
２２  折曲げ線
２３、２４  糊
２７  折曲げ線
２８  蓋板
２９  折曲げ線
３０  取手板
３１  取手穴
３２  折返し片
３５、３６、３７  紐挿通孔
４１  折曲げ線
４２  閉塞板
４３  折曲げ線
４４  三角形の折曲げ部分
４５  スリット
４９  補助枠
５０  段ボールシート
５１  補助側板
５２  補助底板
５３  折曲げ線
５６  切込み
５７  係止片
５８  折曲げ線
６０  通気性布
６１  切込み
６３  紐
６５  熱伝達シート
６７  保冷材
【図１】
2009082062.tif 000003
【図２】
2009082062.tif 000004
【図３】
2009082062.tif 000005
【図４】
2009082062.tif 000006
【図５】
2009082062.tif 000007
【図６】
2009082062.tif 000008
【図７】
2009082062.tif 000009
【図８】
2009082062.tif 000010
【図９】
2009082062.tif 000011
【図１０】
2009082062.tif 000012
【図１１】
2009082062.tif 000013
【図１２】
2009082062.tif 000014
【図１３】
2009082062.tif 000015
【図１４】
2009082062.tif 000016
【図１５】
2009082062.tif 000017
【図１６】
2009082062.tif 000018
【図１７】
2009082062.tif 000019
【図１８】
2009082062.tif 000020